(57)【特許請求の範囲】
【請求項１】
ガス分析測定装置本体のサンプリングガス流入口に連通される接続部と第１の接続口または第２の接続口との一方を弁体により選択可能に構成され、前記弁体は、コネクタが非装着の状態では前記サンプリングガス流入口を前記第２の接続口に対して遮断し、かつ前記第１の接続口を連通させるように付勢手段により付勢され、また前記コネクタが装着された場合には前記サンプリングガス流入口を第２の接続口に連通させ、前記第１の接続口との連通を遮断する位置に前記付勢手段に抗して移動するように構成され、前記コネクタには標準ガス供給手段に接続可能な供給口が設けられているガス分析測定装置。
【発明の詳細な説明】
【技術分野】
【０００１】
本発明は、サンプリング流路に接続されたガス分析手段に、校正のために外部から標準ガスを簡単に供給する接続口を備えたガス分析測定装置、より詳細にはその流路構造に関する。
【背景技術】
【０００２】
サンプリング流路に接続されたガス分析測定装置を校正する場合には、サンプリング流路とガス分析測定装置との接続を遮断し、ガス分析測定装置のガス流入口に標準ガスを注入するという作業が行われていた。
この作業は、ガス分析測定装置とサンプリング流路とを接続するコネクタを外して、ボンベやガス袋等の標準ガス供給手段の供給口を接続し、校正作業が終了した時点で、元の管接続に戻したり、また配管の途中にハンドル操作式の三方弁を設けておき、サンプリング流路側から標準ガス側にハンドルを操作し、ボンベやガス袋等により標準ガスを供給し、また校正作業が終了した時点でハンドルを元に戻すという作業が必要となり、作業が面倒であるばかりでなく、流路の切換えを忘却する虞がある。
【発明の開示】
【発明が解決しようとする課題】
【０００３】
本発明はこのような問題に鑑みてなされたものであって、その目的とするところは、標準ガスなどの流体を本体流路を遮断して臨時的に供給可能とし、流体の供給後には本体流路を形成できるガス分析測定装置を提供することである。
【課題を解決するための手段】
【０００４】
このような問題を解消するために本発明においては、ガス分析測定装置本体のサンプリングガス流入口に連通される接続部と第１の接続口または第２の接続口との一方を弁体により選択可能に構成され、前記弁体は、コネクタが非装着の状態では前記サンプリングガス流入口を前記第２の接続口に対して遮断し、かつ前記第１の接続口を連通させるように付勢手段により付勢され、また前記コネクタが装着された場合には前記サンプリングガス流入口を第２の接続口に連通させ、前記第１の接続口との連通を遮断する位置に前記付勢手段に抗して移動するように構成され、前記コネクタには標準ガス供給手段に接続可能な供給口が設けられている。
【発明の効果】
【０００５】
コネクタが装着されていない状態では、サンプリングガス流入口を第１の接続口を介してサンプリング流路に接続して被検ガスの流入を可能とし、またコネクタが装着された状態では、弁体の移動により被検ガスの流入を遮断してコネクタの標準ガス供給口をサンプリングガス流入口に接続させる。
これにより、コネクタの装着という簡単な操作により本体流路を遮断して、臨時的に標準ガスを注入でき、またコネクタを取り外すことにより測定用の流路を形成でき、流路の切り替えの忘却ミスを防止できる。
【発明を実施するための最良の形態】
【０００６】
そこで以下に本発明の詳細を図示した実施例に基づいて説明する。
図１、図２は、本発明のガス分析測定装置の一実施例を、測定可能状態、及び校正可能状態とで示すものであって、ガス分析測定装置本体１は、ケース２に収容された図示しないサンプリングポンプによりサンプリングガス流入口３からの被検ガスを吸引してガスセンサーに供給し、信号処理ユニットによりガス濃度を算出して表示パネル４に出力するように構成されている。なお、この実施例ではガスセンサーから排出されたガスは、排出口５に接続された図示しない配管により外部環境に放出するように構成されている。
【０００７】
サンプリングガス流入口３には、本発明が特徴とするプラグ１１が接続され、第１の接続口１２が、ガス分析測定装置本体１のサンプリング流路に常時接続され、また第２の接続口１３から標準ガスの注入が可能となっている。
【０００８】
すなわち、図１に示した状態では、サンプリングガス流入口３は、第１の接続口１２と連通し、第２の接続口１３とは遮断されている。また、図２に示したように標準ガスを供給するガスボンベ若しくはガス袋などの標準ガス供給手段に接続するコネクタ２０が装着された状態では、サンプリングガス流入口３は、第１の接続口１２とは遮断され、第２の接続口１３に連通される。したがって、この状態で標準ガス供給手段の標準ガスをコネクタ２０の供給口２３から注入、もしくはガス分析測定装置に内蔵されているサンプリングポンプで吸引させると、ガス分析測定装置本体１の校正作業を行うことができる。
【０００９】
校正作業が終了した時点で図１に示したようにコネクタ２０を外すことにより、上述したごとくサンプリングガス流入口３は、第１の接続口１２を介してサンプリング流路に連通し、また第２の接続口１３と自動的に遮断される。
【００１０】
図３(イ)、(ロ)は、それぞれ上述の本発明の流体注入機構の一実施例を示すものであって、サンプリングガス流入口３に取り付け可能な接続部１４と、第１の接続口１２とのそれぞれの開口部１４ａ、１２ａは、後述する弁体１５の移動により連通されたり、また遮断されるよう必要な距離だけずらせて位置されている。
【００１１】
弁体１５は、その先端１５ａにシール部材１６が装着され、コイルバネなどの付勢手段１７により、開口部１４ａ、１２ａを常時連通させるように図中左方向に付勢され、かつ移動可能に収容されている。
弁体１５の後端１５ｂに対向するように第２の接続口１３をなす開口部１３ａが形成され、その近傍に後述するコネクタ２０を係止する環状の凹部１８が形成されている。なお図中符号１９は、付勢手段１７の押さえ部と弁体１５の位置決め部を兼ねた凸部で、開口部１３ａと弁体１５のシール部材１６の手前側を連通させるための隙間を確保できるよう放射状に形成されている。
【００１２】
図４(イ)は、上述のコネクタ２０の一実施例を示すものであって、プラグ１１の後端に挿入可能な凹部２１には、弁体１５の後端１５ｂに当接して弁体１５を付勢手段１７に抗して弁体１５を、開口部１４ａと開口部１２ａとを連通する位置(図３(イ))を遮断する位置(図３(ロ))に移動させる凸部２２が形成され、また凹部２１には標準ガス供給手段に接続するための供給口２３が連通されている。
なお、図中符号２４は、常時は図示しない付勢手段により突出した状態を維持し、また釦２５の押圧により後退する爪を、さらに符号２６はシール部材を示す。
【００１３】
本体の接続部１４をサンプリングガス流入口３に結合し、第１の接続口１２にサンプリング流路を接続すると、この状態では弁体１５が付勢手段１７により付勢されて図３(イ)に示すように左方に移動しているため、被検ガスは図中矢印Ａで示す流路を経てガス分析測定装置本体１のサンプリングガス流入口３に流れ込む。これにより、サンプリングガスはガス分析測定装置本体１で検出され、表示パネル４にその濃度が表示され、またガスセンサーを通過したサンプリングガスは排出口５から排出される。
【００１４】
一方、ガス分析測定装置本体１の校正作業などを行う場合には、コネクタ２０をプラグ１１の第２の接続口１３に装着すると、図３(ロ)に示したように爪２４が凹部１８に係止され、同時に凸部２２が弁体１５を付勢手段１７に抗して接続部１４の開口部１４ａを越え、かつ第１の接続口１２の開口部１２ａの手前までに押し込む。
【００１５】
これにより接続部１４と第１の接続口１２とが弁体１５により遮断される一方、接続部１４が第２の接続口１３に連通され、図中矢印Ｂで示す流路が形成される。この状態で供給口２３から標準ガス注入手段を接続して標準ガスを注入、もしくはガス分析測定装置に内蔵されているサンプリングポンプで吸引させると、標準ガスが第２の接続口１３を経由してガス分析測定装置本体１のサンプリングガス流入口３から流れ込む。
【００１６】
臨時的な注入が終了した段階で釦２５を押すと爪２４が後退し、コネクタ２０をプラグ１１から取り外すことができる。これにより、弁体１５がコネクタ２０の凸部２２の支持を失って付勢手段１７の付勢力により図３(イ)の状態に復帰し、図中矢印Ａの流路を形成し、第１の接続口１２の流体が流れ込む。
そして望ましくは、コネクタ２０を外した状態では、後述するキャップ３０を装着すると、シール部材１６が磨耗等によりシール力が低下しても、開口部１３ａからの流体の漏洩をキャップ３０のシール部材３４により確実に防止することができる。
【００１７】
キャップ３０は、図４(ロ)に示したようにコネクタ２０と同様にプラグ１１の後端にプラグ１１で、かつ弁体１５の後端１５ｂに当接しない凹部３１を備え、常時は図示しない付勢手段により突出した状態を維持し、また釦３２の押圧により後退する爪３３を設けて構成されている。なお、図中符号３４はシール部材を示す。
【００１８】
なお、上述の実施例においては、プラグ１１をガス分析測定装置を構成するケースの外部に取り付けているが、ガス分析測定装置のケースに収容しても同様の作用を奏することは明らかである。
【００１９】
また、本実施例ではプラグ１１の側に環状の凹部１８を形成し、コネクタ２０の側に爪２４及び釦２５を設けているが、プラグ１１の側に爪２４、及び釦２５を設け、コネクタ２０の側に環状の凹部１８を形成しても、同様の作用を奏する。また、キャップ３０とプラグ１１との着脱構造についても、プラグ１１の側に爪３３、及び釦３２を設け、キャップ３０の側に環状の凹部１８を形成しても同様の作用を奏する。
【図面の簡単な説明】
【００２０】
【図１】本発明のガス分析測定装置の一実施例を、被検ガスが流入可能な状態で示す図である。
【図２】本発明のガス分析測定装置の一実施例を、標準ガスが注入可能な状態で示す図である。
【図３】図(イ)、(ロ)は、それぞれ本発明の流体注入機構の一実施例を、コネクタを外した状態とコネクタを装着した状態で示す断面図である。
【図４】図(イ)、(ロ)は、それぞれ同上コネクタ、及びキャップの一実施例を示す断面図である。
【符号の説明】
【００２１】
１  ガス分析測定装置本体、    ２  ケース、    ３  サンプリングガス流入口、    ４  表示パネル、    ５  排出口、    １１  プラグ、    １２  接続口、    １３  接続口、    １４  接続部、    １５  弁体、    １７  付勢手段、    １８  凹部、    ２０  コネクタ、    ２１  凹部、    ２２  凸部、    ２３  供給口、    ２４  爪、    ２５  釦、    ３０  キャップ、    ３１  凹部、    ３２  釦、    ３３  爪、    ３４  シール部材、
【図１】
0003705437.tif 000002
【図２】
0003705437.tif 000003
【図３】
0003705437.tif 000004
【図４】
0003705437.tif 000005